(57)【要約】【課題】自動収納梱包ラインで目的物を収納梱包でき、底部が一重で、少なくとも周壁の一組を二重構造にし、二つの主収容室と一つの副収容室を備える。【解決手段】仕切り壁板１０を前側壁板２に重合した後、その前側壁板２を折り曲げて底板１に対し直角に起立させ、上記仕切り壁板１０の二重壁部１０−１，１０−２を後側壁板３と前側壁板２との間に、跨架した状態において、連繋部１１の幅員の副収容室Ａを囲繞形成し、その両側に二つの主収容室Ｂ，Ｂ′用の空処を確保し、後側壁板３を起立させ、それに上記二重壁部１０−１，１０−２の糊代片１０′，１０″を上記重合状態あるいは外方に折曲した状態で固着し、蓋板４により上記副収容室Ａおよび主収容室Ｂ，Ｂ′用の上面開口を閉じるとともに、左右側壁板２′，２″、３′，３″と左右側壁板１′，１″、４′，４″を内外に重合接着し、二重に主収容室Ｂ，Ｂ′用の空処の側面開口を閉じている。【選択図】  図７
2005001738.tif 000002
【特許請求の範囲】
【請求項１】
１．  段ボール台紙（ａ）が、
ア．  横長方形の底板（１）の両側対向長辺縁にそれと同形同大の前側壁板（２）と後側壁板（３）を連設するとともに、その後側壁板（３）には同じく底板（１）と同形同大の蓋板（４）と副前側壁板（５）を順次連設し、かつ、これら底板（１）、前側壁板（２）、後側壁板（３）および蓋板（４）の各両側短辺に、左右側壁板（１′）（１″）、（２′）（２″）、（３′）（３″）および（４′）（４″）を連設し、
イ．  上記前側壁板（２）に対し、底板（１）とは反対側において該底板（１）と同形同大の仕切り壁板（１０）を連設し、その仕切り壁板（１０）は、両側短辺に折曲線（ヌ）（ヌ′）を介して糊代片（１０′）（１０″）を連設するとともに、中央部分に折曲線（ル）（ル′）で所要の幅員の連繋部（１１）を区画し、これら折曲線（ヌ）と（ル）、折曲線（ヌ′）と（ル′）により、それぞれ区画された各部を二重壁部（１０−１）（１０−２）とし、しかも、その二重壁部（１０−１）（１０−２）と上記前側壁板（２）との境界には上記連繋部（１１）の部分を除き折曲線（ヲ）に沿って切込み（１２）（１２′）を設けてなり、
２．  水平配置した上記段ボール台紙（ａ）を、
ア．  折曲線（ヲ）および切込み（１２）（１２′）に沿って折り曲げることにより、上記仕切り壁板（１０）を、前側壁板（２）に重合した後、その仕切り壁板（１０）を、上記折曲線（ヌ）（ヌ′）、（ル）（ル′）で折り曲げるとともに、上記前側壁板（２）を折曲線（イ）において折り曲げて底板（１）に対し直角に起立させ、
イ．  上記仕切り壁板（１０）の二重壁部（１０−１）（１０−２）を、その連繋部（１４）を前側壁板（２）に重合し、後側壁板（３）と前側壁板（２）との間に、跨架した状態において、連繋部（１１）の幅員の副収容室（Ａ）を囲繞形成し、同時に、その副収容室（Ａ）の両側に各一つ計二つの主収容室（Ｂ）（Ｂ′）用の空処を確保し、
ウ．  その後、後側壁板（３）を折曲線（ロ）において折り曲げ起立させ、その後側壁板（３）に、上記仕切り壁板（１０）すなわち二重壁部（１０−１）（１０−２）の糊代片（１０′）（１０″）を上記重合状態あるいは外方に折曲した状態で固着し、
エ．  続いて、蓋板（４）を折曲線（ハ）で折り曲げて、副収容室（Ａ）および主収容室（Ｂ）（Ｂ′）用の上面開口を閉じながら、左右側壁板（２′）（２″）、（３′）（３″）を折曲線（ヘ）（へ′）、（ト）（ト′）で、また、同じく左右側壁板（１′）（１″）、（４′）（４″）を折曲線（ホ）（ホ′）、（チ）（チ′）でそれぞれ直角に折り曲げ、これによって、左右側壁板（２′）（２″）、（３′）（３″）と左右側壁板（１′）（１″）、（４′）（４″）を内外に重合接着した状態において、二重に主収容室（Ｂ）（Ｂ′）用の空処の側面開口を閉じてなることを特徴とする段ボール箱。
【請求項２】
請求項１記載の段ボール箱を組み立てる途中において、すなわち副収容室（Ａ）の両側に各一つ計二つの主収容室（Ｂ）（Ｂ′）用の空処を確保したとき、それら各室の底板（１）の所定部位に目的物を載せておくことを特徴とする段ボール箱による収納梱包法。
【発明の詳細な説明】
【０００１】
【発明の属する技術分野】
本発明は、二つの主収容室を備えた段ボール箱とそれによる収納梱包法に関する。
【０００２】
【従来の技術】
二つの主収容室を備えた段ボール箱は、例えば特開２００１−３２８６２０号公報（特許文献１）記載のものがあるが、それは、一重の周壁により形成される箱本体内に区画した左右各室の底部に底板の一重部分と二重部分ができ、そこに収納したペットボトル等の目的物の高さが不揃いになるのを、底部全域で底板を二重にして段差を生じないように改善しつつ、二重底にして、底部全域の強度の向上を図っている。
【０００３】
【特許文献１】
特開２００１−３２８６２０号公報
【０００４】
【発明が解決しようとする課題】
段ボール箱に目的物を収納梱包する作業を、所定の自動収納梱包ラインで自動的に行う場合、底部を二重にする上記のような段ボール箱にあっては、当該段ボール箱を組み立てた後に、その段ボール箱に上面開口を通じて目的物を入れざるを得ないと認められる。
【０００５】
それは、組立て途中の一重の底部に目的物を乗載した後で、それらの間に他の底板を挿入することにより二重にすることは困難だからである。
また、目的物を収納梱包した段ボール箱は、その出荷輸送および保管の何れにおいても、複数段に積み重ねられるのが普通であるが、その場合には、特に下段のものが圧し潰されるのを避けなければならない。
そのためには、  特許文献１記載の上記段ボール箱のように、一重の周壁の場合には、肉厚の段ボールを採用するとか、他の補強材を使うなどして所定の補強を行う必要があるという不利が生じる。
【０００６】
そこで本発明は、第１に、底部を一重にして段差をなくし、組立て途中で目的物を乗載できるとともに、目的物の高さが不揃いにならないようにするとともに、組立ての初期または途中適宜の時期に、その一重の底部に目的物を載せることにより所定の自動収納梱包ラインにおいて極めて容易に目的物を収納梱包することができ、第２に、少なくとも周壁の対向する一組を二重構造にし、比較的肉薄の段ボールを使用しても出荷輸送および保管の際に複数段積み重ねてることに十分耐えられる強度を有し、第３に、二つの主収容室の他に、それらの間に一つの副収容室を形成し、これにも所要の物品を収容できるようにした段ボール箱を提供しようとするものである。
【０００７】
【課題を解決するための手段】
請求項１記載の本発明段ボール箱の構成は次のとおりである。
１．  段ボール台紙ａが、
（１）  横長方形の底板１の両側対向長辺縁にそれと同形同大の前側壁板２と後側壁板３を連設するとともに、その後側壁板３には同じく底板１と同形同大の蓋板４と副前側壁板５を順次連設し、かつ、これら底板１、前側壁板２、後側壁板３および蓋板４の各両側短辺に、左右側壁板１′，１″、２′，２″、３′，３″および４′，４″を連設し、
（２）  上記前側壁板２に対し、底板１とは反対側において該底板１と同形同大の仕切り壁板１０を連設し、その仕切り壁板１０は、両側短辺に折曲線ヌ，ヌ′を介して糊代片１０′，１０″を連設するとともに、中央部分に折曲線ル，ル′で所要の幅員の連繋部１１を区画し、これら折曲線ヌとル、折曲線ヌ′とル′により、それぞれ区画された各部を二重壁部１０−１，１０−２とし、しかも、その二重壁部１０−１，１０−２と上記前側壁板２との境界には上記連繋部１１の部分を除き折曲線ヲに沿って切込み１２，１２′を設けてなり、
２．  水平配置した上記段ボール台紙ａを、
（１）  折曲線ヲおよび切込み１２，１２′に沿って折り曲げることにより、上記仕切り壁板１０を、前側壁板２に重合した後、その仕切り壁板１０を、上記折曲線ヌ，ヌ′、ル，ル′で折り曲げるとともに、上記前側壁板２を折曲線イにおいて折り曲げて底板１に対し直角に起立させ、
（２）  上記仕切り壁板１０の二重壁部１０−１，１０−２を、その連繋部１４を前側壁板２に重合し、後側壁板３と前側壁板２との間に、跨架した状態において、連繋部１１の幅員の副収容室Ａを囲繞形成し、同時に、その副収容室Ａの両側に各一つ計二つの主収容室Ｂ，Ｂ′用の空処を確保し、
（３）  その後、後側壁板３を折曲線ロにおいて折り曲げ起立させ、その後側壁板３に、上記仕切り壁板１０すなわち二重壁部１０−１，１０−２の糊代片１０′，１０″を上記重合状態あるいは外方に折曲した状態で固着し、
（４）  続いて、蓋板４を折曲線ハで折り曲げて、副収容室Ａおよび主収容室Ｂ，Ｂ′用の上面開口を閉じながら、左右側壁板２′，２″、３′，３″を折曲線ヘ，へ′、ト，ト′で、また、同じく左右側壁板１′，１″、４′，４″を折曲線ホ，ホ′、チ，チ′でそれぞれ直角に折り曲げ、これによって、左右側壁板２′，２″、３′，３″と左右側壁板１′，１″、４′，４″を内外に重合接着した状態において、二重に主収容室Ｂ，Ｂ′用の空処の側面開口を閉じてなる。
【０００８】
請求項２記載の本発明段ボール箱による収納梱包法は、請求項１記載の上記段ボール箱を組み立てる途中において、すなわち副収容室Ａの両側に各一つ計二つの主収容室Ｂ，Ｂ′用の空処を確保したとき、それら各室の底板１の所定部位に目的物を載せておくことを内容とする。
【０００９】
【発明の実施の形態】
以下本発明を図示の実施形態について詳しく述べる。
【００１０】
まず、段ボール台紙ａの構成は次のとおりである。
１は横長方形の底板で、その底板１の両側対向長辺縁にそれと同形同大の前側壁板２と後側壁板３を折曲線イ，ロを介して連設するとともに、後側壁板３には同じく底板１と同形同大の蓋板４と副前側壁板５を順に折曲線ハ，ニを介して連設している。
１′，１″、  ２′，２″、  ３′，３″および４′，４″は、それぞれ、上記底板１、前側壁板２、後側壁板３および蓋板４の各両側短辺に、折曲線ホ，ホ′、ヘ，へ′、ト，ト′およびチ，チ′を介して連設した左右側壁板で、その各側壁板の間すなわち上記折曲線イ，ロ，ハの延長線上に切込み６，６′、７，７′および８，８′を形成している。
【００１１】
１０は、上記前側壁板２に対し、底板１とは反対側において折曲線リを介し連設した該底板１と同形同大の仕切り壁板で、その仕切り壁板１０は、さらに次のようになっている。
すなわち、仕切り壁板１０は、その各両側短辺に折曲線ヌ，ヌ′を介して糊代片１０′，１０″を連設するとともに、中央部分に折曲線ル，ル′で所要の幅員（例えば該仕切り壁板１０の全長の約５分の１）の連繋部１１を区画し、これら折曲線ヌとル、折曲線ヌ′とル′により、それぞれ区画された各部を二重壁部１０−１，１０−２とし、さらに、その二重壁部１０−１，１０−２と上記前側壁板２との境界には上記連繋部１１の部分を除き折曲線ヲに沿って切込み１２，１２′を設けている。
【００１２】
上記構成の段ボール台紙ａは、例えば所定の自動収納梱包ライン上で、以下のうように当該目的物を収納梱包しつつ組み立てられ、本発明段ボール箱となる。
【００１３】
まず最初に、段ボール台紙ａを水平配置し、仕切り壁板１０を、折曲線ヲおよび切込み１２，１２′に沿って折り曲げることにより、前側壁板２に重合する（図２）とともに、その仕切り壁板１０を、上記折曲線ヌ，ヌ′、ル，ル′で折り曲げて二重壁部１０−１，１０−２および糊代片１０′，１０″を持ち上げる（図３）。
さらに、上記前側壁板２を折曲線イにおいて折り曲げて底板１に対し直角に起立させ、かつ、前側壁板２のこの起立に伴って同時に起立する仕切り壁板１０の二重壁部１０−１，１０−２の糊代片１０′，１０″を内方に折曲して重合接着する（図４）。
なお、糊代片１０′，１０″は、上記のように重合することなく、折曲線ヌ，ヌ′で互いに外方に折曲した状態にし、あとで後側壁板３の対向部分に接着固定することにしてもよい。
【００１４】
いずれにしても、仕切り壁板１０の二重壁部１０−１，１０−２は、その連繋部１４を前側壁板２に重合し、後側壁板３と前側壁板２との間に、跨架した状態において、所要の幅員（連繋部１１の幅員）の副収容室Ａを囲繞形成し、同時に、その副収容室Ａの両側に各一つ計二つの主収容室Ｂ，Ｂ′用の空処を確保する（図４）。
【００１５】
そこで、この主収容室Ｂ，Ｂ′用の空処に、収納梱包しようとする主たる目的物（例えば塗料，シーリング材，接着剤等を充填した所要の容器）を配置するとともに、副収容室Ａに、従たる目的物（例えば添加剤等を充填した所要の容器、または主たる目的物の附属品等）を配置する。
【００１６】
その後、後側壁板３を折曲線ロにおいて折り曲げ起立させ、その後側壁板３に、上記仕切り壁板１０すなわち二重壁部１０−１，１０−２の糊代片１０′，１０″を上記重合状態あるいは外方に折曲した状態で固着する。
【００１７】
続いて、蓋板４を折曲線ハで折り曲げて、副収容室Ａおよび主収容室Ｂ，Ｂ′用の上面開口を閉じながら、左右側壁板２′，２″、３′，３″を折曲線ヘ，へ′、ト，ト′で、また、同じく左右側壁板１′，１″、４′，４″を折曲線ホ，ホ′、チ，チ′でそれぞれ直角に折り曲げ、これによって、左右側壁板２′，２″、３′，３″と左右側壁板１′，１″、４′，４″を内外に重合接着した状態において、二重に主収容室Ｂ，Ｂ′用の空処の側面開口を閉じ、最後に、副前側壁板５を、折曲線ニで直角に折り曲げて、前側壁板２の外面に重合接着する（図５，６）。
【００１８】
以上により、二つの主たる目的物を主収容室Ｂ，Ｂ′に、また一つの従たる目的物を副収容室Ａにそれぞれ収容した本発明段ボール箱が組み立て完成することになる。
【００１９】
この実施形態のものは、上記から明らかなとおり、底部が底板１による一重構造であり、また、後壁が後側壁板３による一重構造であるが、前壁が前側壁板２と副前側壁板５とにより二重構造をなし、しかも、主収容室Ｂ，Ｂ′を仕切りかつ副収容室Ａを形成する仕切り壁板１０の二重壁部１０−１，１０−２が、中央に設立した補強部体の作用も果たし、さらに、左右側壁が左右側壁板２′，２″、３′，３″と左右側壁板１′，１″、４′，４″とにより二重構造をなすので、全体として、既存の段ボール箱に比べるとその強度を著しく高くするものである。
【００２０】
しかし、本発明は、底部を一重構造にし、かつ、二つの主収容室Ｂ，Ｂ′を仕切る仕切り壁板１０により副収容室Ａを形成し、その仕切り壁板１０が補強部体の作用を果たすものであれば、収容しようとする目的物の大きさや重量に応じ、例えば、後側壁板３に対しさらに副後側壁板を重合するとか、蓋板４に対し副蓋板を重合するといった構造とるすることもできること明らかである。
【００２１】
【発明の効果】
以上詳述したところから明らかなように、本発明によれば次の効果を奏するものである。
【００２２】
本発明段ボール箱は、二つの主収容室Ｂ，Ｂ′と一つ副収容室Ａを備え、かつ、底部が一重構造をなすとともに、少なくとも周壁の対向する一組を二重構造にし、しかも、主収容室Ｂ，Ｂ′を仕切りかつ副収容室Ａを形成する仕切り壁板１０の二重壁部１０−１，１０−２が、補強部体の作用も果たすので、全体として、既存の段ボール箱に比べるとその強度を著しく高くしている。
【００２３】
本発明段ボール箱は、目的物を収納する二つの主収容室Ｂ，Ｂ′と一つ副収容室Ａが、いずれも、その底部に段差を生じることをなくしているから、当該収納物の高さを不揃いにすることなく整然と収納できる。
このことは、自動収納梱包ラインにおいて、上記主収容室Ｂ，Ｂ′と副収容室Ａに目的物を収納梱包するのを支障なく正確かつ容易に実施できるものにする。
【００２４】
本発明段ボール箱は、底部が一重構造をなすとともに、少なくとも周壁の対向する一組を二重構造にし、しかも、主収容室Ｂ，Ｂ′を仕切りかつ副収容室Ａを形成する仕切り壁板１０の二重壁部１０−１，１０−２が補強部体の作用も果たすので、比較的肉薄の段ボールを使用しても出荷輸送および保管の際に複数段積み重ねてることに、十分耐えられる強度を有する。
【図面の簡単な説明】
【図１】本発明段ボール箱の実施形態に係る段ボール台紙の展開図である。
【図２】上記段ボール箱の組立て状況を説明するための斜視図で、仕切り壁板を前側壁板に対し折り曲げ重合した状態を示す。
【図３】上記仕切り壁板の一部を立ち上げた状態を説明するための斜視図である。
【図４】上記前側壁板を起立するとともに仕切り壁板により副収容室を組み立てた状態の斜視図である。
【図５】その組み立てがさらに進んだ状態の斜視図である。
【図６】組立てを終えた本発明段ボール箱の斜視図である。
【図７】図６のＩ−Ｉ線拡大断面図である。
【図８】図６のＩＩ−ＩＩ線拡大断面図である。
【符号の説明】
ａ      段ボール台紙
１      底板
２      前側壁板
３      後側壁板
４      蓋板
５      副前側壁板
１′，１″          左右側壁板
２′，２″          左右側壁板
３′，３″          左右側壁板
４′，４″          左右側壁板
１０                仕切り壁板
１０′，１０″      糊代片
１０−１，１０−２  二重壁部
Ａ                  副収容室
Ｂ，Ｂ′            主収容室
【図１】
2005001738.tif 000003
【図２】
2005001738.tif 000004
【図３】
2005001738.tif 000005
【図４】
2005001738.tif 000006
【図５】
2005001738.tif 000007
【図６】
2005001738.tif 000008
【図７】
2005001738.tif 000009
【図８】
2005001738.tif 000010